(57)【特許請求の範囲】
【請求項１】
少なくとも一つの圧力棒（２１）を含むハウジング（１０）を有し、円筒／ピストンユニット（１００）を有し、ピストン作動プランジャー（６０）を有し、トリガーユニット（８０）を有し、そして圧力棒（２１）を用いてインターロックされ、かつトリガーユニット（８０）を用いてトリガーすることができる事前に張力をかけられるばねエネルギー貯蔵器（５０）を有し、圧力棒（２１）がばねエネルギー貯蔵器（５０）及びピストン作動プランジャー（６０）を用いて、トリガーユニット（８０）の少なくとも一つのトリガーエレメント（８２）に沿って滑るように動くことができそして移動することができ、そして円筒／ピストンユニット（１００）がばねエネルギー貯蔵器（５０）を用いて作動することができる、針無し使い捨て注射器であって、トリガーエレメント（８２）の互いに面する内壁（５９）、及び圧力棒（２１）の隣接面（２４）の対形成が、少なくともある領域において、ピストン作動プランジャー（６０）の互いに面するカラー表面（７５）、及び圧力棒（２１）の支持表面（２３）の対形成よりも高い滑り摩擦係数を有すること
を特徴とする針無し使い捨て注射器。
【請求項２】
トリガーエレメント（８２）が、少なくともある領域においてスリーブ状にハウジング（１０）を囲むことを特徴とする、請求項１に記載の使い捨て注射器。
【請求項３】
それが二つの圧力棒（２１）を含むことを特徴とする、請求項１に記載の使い捨て注射器。
【請求項４】
隣接面（２４）及び／又は内壁（５９）の平均粗さ値が、少なくともこれらの表面（２４、５９）の接触領域において１０ミクロンより大きいかそれに等しいことを特徴とする、請求項１に記載の使い捨て注射器。
【請求項５】
トリガーエレメント（８２）の内壁の粗さが鋭い端部（８５）の方向に増すことを特徴とする、請求項１に記載の使い捨て注射器。
【請求項６】
使用される隣接面（２４）の幅が個々の圧力棒（２１）の幅より小さいことを特徴とする、請求項１に記載の使い捨て注射器。
【発明の詳細な説明】
【技術分野】
【０００１】
本発明は、少なくとも一つの圧力棒を含むハウジングを有し、円筒／ピストンユニットを有し、ピストン作動プランジャーを有し、トリガーユニットを有し、そして圧力棒を用いてインターロックされ、かつトリガーユニットを用いてトリガーすることができる事前に張力をかけられるばねエネルギー貯蔵器を有し、圧力棒がばねエネルギー貯蔵器及びピストン作動プランジャーを用いて、トリガーユニットの少なくとも一つのトリガーエレメントに沿って滑るように動くことができ、そして移動することができ、そして円筒／ピストンユニットがばねエネルギー貯蔵器を用いて作動することができる、針無し使い捨て注射器に関する。
【背景技術】
【０００２】
このタイプの使い捨て注射器は、その後に公告された特許文献１から公知である。もし、この注射器が、注射部位に作用するあまりにも低い圧力にさらされるなら、注射溶液が注射ジェットの軸に対して横方向に漏れるであろうリスクがある。これはいわゆるウエットショット（wet shot）に繋がる。
【０００３】
特許文献２は、ハウジング、流体チャンバー、プランジャー、力発生源、力発生源を作動するための作動エレメント、及び針を隠蔽するためにハウジングの遠位端に配置された針ガードを含むジェット注射器を開示している。
【０００４】
特許文献３は、ガスで駆動される針無し注射装置を開示しており、ここでカニューレが、キャップの軸方向の動きによってガスカプセル内に押し込まれる。
【０００５】
特許文献４は、少なくとも一つの機械的エネルギー貯蔵装置、少なくとも一時的に活性物質で充填することができる、少なくとも一つの円筒／ピストンユニット、少なくとも一つのピストン作動プランジャー、及び少なくとも一つのトリガーユニットを含むハウジングを有する使い捨て注射器を開示している。ばねエネルギー貯蔵装置は、少なくともある領域においてばねエレメントを囲む引っ張り手段によって事前に張力をかけられた位置に保持されている、事前に張力をかけられたばねエレメントを含む。更に、トリガーユニットは、ばねエネルギー貯蔵装置のエネルギーを開放するために、少なくとも一つの場所で引っ張り手段を切断し又は弱める切断治具を含み、この弱めることによって引っ張り手段の即座の引き裂きがもたらされる。
【先行技術文献】
【特許文献】
【０００６】
【特許文献１】ＤＥ１０、２００７、０３４、８７１
【特許文献２】ＥＰ１、３３６、４１９Ａ１
【特許文献３】ＵＳ２００２／００９９３２９Ａ１
【特許文献４】ＤＥ１０、２００５、０６２、２０６Ｂ３
【発明の概要】
【発明が解決しようとする課題】
【０００７】
従って本発明は、その使用によって、要求される最小の接触圧力が確保される使い捨て注射器を開発する課題に基づくものである。
【課題を解決するための手段】
【０００８】
この課題は、主特許請求の範囲の特徴によって解決される。この目的のために、事前に張力をかけられたばねエネルギー貯蔵器によって負荷がかけられたときに、トリガーエレメントの互いに面する内壁、及び圧力棒の隣接面の対形成（pairing）は、少なくともある領域において、ピストン作動プランジャーの互いに面するカラー表面、及び圧力棒の支持表面の対形成よりも高い滑り摩擦係数を有する。
【発明の効果】
【０００９】
本発明の更なる詳細は、下位の特許請求の範囲及び模式的に描かれた実施態様のそれに続く記述から明らかになる。
【図面の簡単な説明】
【００１０】
【図１】ロック位置において変形された二本の圧力棒を有する使い捨て注射器を示す。
【図２】トリガー中の使い捨て注射器を示す。
【図３】トリガー後の使い捨て注射器を示す。
【図４】図１からの詳細を示す。
【図５】図４を通した断面である。
【図６】隣接面の巻き戻しの平面図である。
【図７】図５の変形を示す。
【図８】内壁の巻き戻しの図である。
【図９】図８の変形を示す。
【発明を実施するための最良の形態】
【００１１】
図１〜３は三つの異なるトリガー状態における使い捨て注射器を示す。図１は、充填及びトリガーの前の使い捨て注射器を示す。図２は、トリガー中の使い捨て注射器を示し、そして図３は、トリガー後のそれを示す。
【００１２】
図１〜３に示されている使い捨て注射器は、ハウジング１０、円筒／ピストンユニット１００、ピストン作動プランジャー６０及びばねエネルギー貯蔵器としてのらせん圧縮ばね５０から成る。また、トリガーエレメント８２を有するトリガーユニット８０、及び確保エレメント９０がハウジング１０上に配置されている。図１の説明において、円筒／ピストンユニット１００は、ストッパー１２８と組み合わせてクロージャーキャップ１２０を用いて前方で閉じられている。
【００１３】
ハウジング１０は、高くなった床３９を有する、一体物でポット形の下方に向かって開いた中空体である。ハウジングは、例えば、ガラス繊維強化ポリアミドで射出成形によって作られる。ハウジング１０は実質的にチューブ状の形を有し、そして二つの機能領域に分けられる：一方は上方外皮（envelope）領域３１であり、そして他方は下方固定領域４１である。
【００１４】
外皮領域３１において、ハウジング１０は、例えば、二つの互いに反対向きの窓状開口部３３を有する。弾性屈曲棒としての各圧力棒２１は個々の開口部３３の下方端上に成形される。圧力棒２１に対する成形部位（moulding-on site）は、固定領域４１の丁度上方に位置している。各圧力棒２１を形成するために、各圧力棒２１を側部及び頂部に囲む、狭い、少なくともほぼＵ−形をした隙間が、外皮部分３１の下方領域中に位置している。
【００１５】
圧力棒２１は、例えば、その長さの８０％に亘って、ハウジング１０の肉厚及び曲率を有する。この領域はまた、とりわけ弾性屈曲棒２８の機能を有する。それは、三日月形の断面を有する。
【００１６】
適切な場合、使用中に、屈曲棒の端部領域において生じる曲げ応力を低減するために、この屈曲棒２８の一部分も矩形断面を備えることができる。
【００１７】
ピストン作動プランジャー６０が、―少なくともある部分において―、ハウジング１０中を少ない遊びの程度で真っ直ぐに誘導され、そしてピストン作動プランジャー６０が十分な曲げ強さを有する注射器の場合は、二つ以上の圧力棒２１の代わりに、たった一つの圧力棒２１の使用も可能である。
【００１８】
この場合、個々の圧力棒２１の上方自由端は、半径方向に外側に向かって突き出ているカム２２によって形成される。カムは、中央線５の方向に向っている少なくとも一つの支持面２３、及び中央線５から離れて面している隣接面２４を有する。
【００１９】
円筒／ピストンユニット１００を締め付けるための保持エレメントはハウジング１０の下方領域中に位置している。代表的実施態様において、円筒／ピストンユニット１００は、注射溶液１で充填することができる透明な円筒１０１から成る。図１の説明において、ピストン１１１は前方位置にある。ピストン１１１の上方に、ピストン作動プランジャー６０が、例えば、それがピストン１１１に触れないものの、それが、例えば、円筒１０１の上方領域においてその下方端によって縦方向に誘導されるようにハウジング１０中に配置されている。
【００２０】
ハウジング１０の下方半分はスリーブ状のトリガーエレメント８２によって囲まれている。トリガーエレメントは、例えば、実質的に円筒状に具体化され、そして、例えば、アクリロニトリル−ブタジエン−スチレン（ＡＢＳ）共重合体で作られる。トリガーエレメント８２はハウジング１０の半径方向の外面１３上に縦方向に移動できるように搭載されている。それはトリガーエレメント８２の端側のセットバック側面８４の部分である鋭い端部８５を有して後方に向かって終わる。図１によると、端部８５の下方に、圧力棒２１上に成形されるカム２２の外側に向かう隣接面２４が、トリガーエレメント８２の内壁５９と固定する状態で触れている。
【００２１】
ハウジング１０の後端を完全に囲んでいるトリガーキャップ８１は、トリガーエレメント８２に、例えば、端部８５の近くで固定される。トリガーキャップ８１は円周の広げられた領域８３を含み、注射器がトリガーされると、その中にカム２２が受け入れられる図３を参照。非回転対称のトリガーエレメント８２の場合、この広げられた領域８３の代わりに、各圧力棒２１に対して、部分的に広がった領域又は覆われていない開口部も存在し得る。広げられた領域８３の上方で、トリガーキャップ８１は、滑ることができるようにハウジング１０の外壁１３に寄りかかっている。
【００２２】
クロージャーキャップ１２０はトリガーエレメント８２のリード端に隣接する。クロージャーキャップは円筒／ピストンユニット１００の下方部分を包み込む。クロージャーキャップ１２０は、リード端側上に、例えば、外側の円錐状ストッパー１２８を用いて無菌状態で閉じられるルアー（Luer）内部円錐を持つアダプター開口部１２７を有する。クロージャーキャップ１２０は、この場合、ハウジング１０の下方領域上に搭載されている。
【００２３】
ハウジング１０中に配置されるピストン作動プランジャー６０は二つの領域に分けられる。下方の領域はピストンスライド７６である。その直径は、円筒１０１の後方領域の内径よりも幾分小さい。ピストンスライド７６の下方端面は、ピストン１１１上に直接、作用する。
【００２４】
ピストン作動プランジャー６０の上方領域、すなわち、プランジャー板７３は、少なくともある領域では円筒状の平らなディスクであり、その外径は外皮領域３１中のハウジング１０の内径より二、三十分の一ミリメーターだけ小さい。下方端側はピストンスライド７６の周りに配置されるカラー面７５を有する。カラー面は、切頭円錐形外皮の形を有し、その頂角は約１００〜１４０度である。示された代表的実施態様において、カラー面７５は１４０度の頂角を有する。切頭円錐形外皮の仮想頂点はピストンスライド７６の領域中の中央線５上に横たわる。カラー面７５も球状に曲げることができる。
【００２５】
明らかに、ピストンスライド７６もプランジャー板７３から分離された別の部品として具現化され得る。この目的のために、ピストンスライドは次いでハウジング１０の内壁上を誘導される。
【００２６】
らせん圧縮ばね５０は、プランジャー板７３、及びハウジング１０の高くなった床３９の間に、事前に張力をかけられて座する。らせん圧縮ばね５０は、ハウジング１０の高くなった床３９上に支持され、ここでスペーサースリーブ１９が間に置かれている。らせん圧縮ばね５０のバネ力はプランジャー板７３を介して圧力棒２１に伝えられる。カラー面７５の傾きのために、圧力棒２１はくさび歯車のように半径方向に外側へ強制的に動かされる。トリガースリーブ８２はこの半径方向の力を永久に支える。
【００２７】
プランジャー板７３の上方に、ピストン作動プランジャー６０は誘導ピン６２を有する。誘導ピンは、らせん圧縮ばね５０を誘導し、又はそれによって誘導される。使い捨て注射器の作動の際に  ピストン１１１に作用するピストンスライド７６は、プランジャー板７３の下方に、誘導ピン６２に連続して中央に位置している。ピストンスライド７６は、円錐形の、前に向かってアーチ型をした端面７７の外皮を有する（とりわけ図２を参照）。この端面７７を用いて、ピストンスライドはトリガーの際に、ピストン１１１の相補的な形をした端面と接触する（図３を参照）。両方の円錐は少なくともほぼ同じ円錐角を有する。
【００２８】
使い捨て注射器が充填されそして使用される前に、ばねエネルギー貯蔵器５０は事前に張力をかけられる（図１を参照）。二つの張力をかけられた圧力棒２１は、その事前に張力をかけられた位置において、そのプランジャー板７３の上にピストン作動プランジャー６０を保持する。この目的のために、圧力棒２１の支持面２３はプランジャー板７３上に支持されている。支持面２３、及びプランジャー板７３上の対応する場所の間の各接触面積のサイズは、２〜２０平方ミリメーターの範囲にある。支持面に面し、そしてそれを用いてそれが対形成を形成する支持面２３及びカラー面７５の両者は、例えば、１０ミクロンより小さな平均粗さ値を有する。例えば、平均粗さ値は６ミクロンである。
【００２９】
圧力棒２１及びプランジャー板７３の曲げ弾性によって、支持棒２１は少なくともほぼ半径方向に外側へとトリガーエレメント８２に抗して押される。そこで、それらはカム２２を介してトリガーエレメント８２に寄りかかる。カム２２は、この場合、例えば、圧力棒２１の各自由上方端の下方５〜２０ミリメーターに位置合わせすることができる。
【００３０】
図１及び４によると、張力をかけられた使い捨て注射器のプランジャー板７３はカラー面７５を介して支持面２３上に横たわる。この場合、くさび表面の機能を実行する支持面２３は、１４０度の頂角を有する切頭円錐形外皮の形を有する。
【００３１】
適切な場合、圧力棒２１又はカラー面７５は、少なくとも接触領域においてセラミック製の外装を有する。カラー面７５は、例えば、接着剤で上に接合された切頭円錐形外皮の形をしたワッシャーによって強化することができる。
【００３２】
カム２２の隣接面２４は円錐の部分であり、その最大直径は、例えば、ハウジング１０の外径より３〜４ミリメーター大きい。使い捨て注射器に張力がかけられるとき、隣接面２４はスリーブ状のトリガーエレメント８２の内壁５９に接触する。接触領域は図４において拡大されて示されている。従って、隣接面２４は、個々の圧力棒２１が曲がるせいで、中でもその下方領域において、トリガーエレメント８２の内壁５９に抗して押しつけられている。隣接面２４は構造化され又は粗くされ得る。例えば、それは、横方向の隣接面２４の巻き戻しの平面図（図６を参照）、又はダイアモンドパターン（図７を参照）において縦溝を配置させてよい。これらのパターンは、例えば、均一に配置されている。隣接面２４の平均粗さ値は、例えば、１０ミクロンより大きい。
【００３３】
図７の説明において、個々の圧力棒２１の隣接面２４の幅は底から上方に向かって大きくなる。このようにして、内壁５９に対して隣接面２４を押しつける圧力は上方においてよりも下方領域においてより大きい。この効果を強化するために、隣接面２４は、横方向に内壁５９よりも小さい半径を有することができる（図５を参照）。従って接触面の幅は、個々の圧力棒２１の幅より小さいものであり得る。
【００３４】
使い捨て注射器の使用を可能にするために、円筒／ピストンユニット１００は最初に充填されなければならない。この目的のために、ストッパー１２８はアダプター開口部１２７から除かれ、そして注射溶液１は、例えば、中に押しつけられ又は引き込まれる。この場合、ピストン１１１は押し戻され又は引き戻される。
【００３５】
注射器をリリースするために、固定エレメント９０、例えば切り取りバンデロール９４は、クロージャーキャップ１２０及びトリガーエレメント８２の間の接着結合が解消されるように、引っ込められる。クロージャーキャップ１２０は引っ込められる。使い捨て注射器は注射部位上に位置合わせされる。ばねエネルギー貯蔵器５０は張力をかけられ；圧力棒２１はプランジャー板７３のカラー面７５を支持し続ける。
【００３６】
ここで、トリガーエレメント８２は円筒／ピストンユニット１００の方向に移動することができる（図２を参照）。図２において説明された状態は静的なものではない；従って以後それは架空の状態として表示されるであろう。
【００３７】
使い捨て注射器のトリガーの際に、トリガーエレメント８２は、トリガー運動の方向６に、直線的に下方へ、すなわち注射部位の方向にハウジング１０の外壁１３上を滑る。圧力棒２１の隣接面２４は端部８５を介して滑る。圧力棒２１は弾性的に外側に向かってそれらの実際の出発位置に曲がり、そしてばねエレメント５０の力の下で、半径方向に外側に向かって広げられた領域８３内にジャンプする。
【００３８】
ハウジング１０に関して、広げられた領域８３は、それが、トリガープロセス中に、それらのカム２２を用いて外側に強制的に動かされそして後退させられる圧力棒２１を受けることができるように正確に位置合わせされ、そして構成される。広げられた部分８３の内側の外形は、例えば、この場合、注射器の中心線５に垂直であるセットバック側面８４を有するチャンネルである。カム２２が広げられた領域内に移動されるや否や、ピストン作動プランジャー６０は妨害されずに下方に発射する（図３を参照）。ピストン１１１は下方に押しつけられる。円筒１００が空になる。
【００３９】
トリガーエレメント８２の内壁５９は、例えば、それに沿って隣接面２４が滑る領域において粗くされ又は構造化される。その粗さ値は、例えば、隣接面２４の粗さ値に対応する。構造化される場合、パターンは、図６又は７においてそれが説明されているように具体化することができる。
【００４０】
しかしながら、内壁５９の構造的密度及び／又は粗さは、トリガーエレメント８２の内壁５９に対する隣接面２４の動きのストロークと共に上昇することができる。図８は、例えば、鋭い端部８５に隣接し、そしてその間の距離が底から上方へと減少する互いに平行なスロットを有する構造的パターンの非常に拡大された図である。図９は、その目盛がその実施態様において正及び／又は負（positive and/or negative）であってよい目盛パターンを示す。目盛の間の距離は、相対的な動きの方向に、底から上方へと増加する。トリガー前に隣接面２４が寄りかかる内壁５９の接触面の最も低い領域は、例えば、構造化されていない。
【００４１】
使い捨て注射器のトリガーの前及びトリガー中に、らせんばね５０はカム２２を、プランジャー板７３を介して外側に押し付ける。カラー面７５及び支持面２３の対形成の大きな接触面積及び低い表面粗さに起因する低い滑り摩擦係数のせいで、このくさび歯車は高い効率を有する。
【００４２】
使い捨て注射器をトリガーするために、一旦、それが注射部位上に取り付けられると、オペレーターは最初に、特に隣接面２４及び内壁５９の間の接触力によって生じる接着摩擦を克服しなければならない。対形成の接触面積が小さいほど、そして表面粗さが粗いほど、この接着摩擦は高くなる。
【００４３】
従って、接着摩擦力が高いほど、使用者は使い捨て注射器を注射部位に対してより強く押し付けるであろう。このように、静的状態において、隣接面２４及び内壁５９の対形成の粗さ値が高いと、使用者は使い捨て注射器を一旦、位置を合わせされると、注射部位に対して最小の力を用いて確実に押し付け続けることになる。
【００４４】
トリガー中に使用者が接着摩擦力を克服するや否や、トリガーエレメント８２の内壁５９は隣接面２４に沿って滑る。これら二つの表面２４、５９の対形成の滑り摩擦係数は、関与する材料、表面粗さ及び／又は表面構造及び表面圧力に依存する。この対形成の滑り摩擦係数は、カラー面７５及び支持面２３によって形成される対形成の滑り摩擦係数より大きい。もし、例えば、隣接面２４及び内壁５９が図６による構造を有して具体化されるならば、ほぼ一定の高い供給力が、例えば、トリガーエレメント８２の移動のために要求される。従って、使用者は、安全な注射のために要求される押し込み力に等しいか又はそれより大きな力を用いて使い捨て注射器を注射部位に対して押し付け続けるであろう。
【００４５】
使用者は、後方グリップ側面２５が端部８５に到達完了するまで、この力をかける必要がある。カラー面７５及び支持面２３によって形成される対形成の滑り摩擦が低いため、かつ小さなくさび角のため、カム２２は広げられた領域８３内に急に移動される。
【００４６】
使い捨て注射器のトリガーの際に、その内壁５９は、例えば、図８に記載の構造を有し、トリガーのために要求される力はトリガーエレメント８２の移動中に増大する。こうして、使用者は使い捨て注射器を注射部位に対して益々強く押すことを強いられる。このことによって、ばねエネルギーが開放されるときに、ウエットショットが防止されるほど力強く、使い捨て注射器が注射部位に対して確実に押し付けられることになる。
【００４７】
接着摩擦を克服するために要求されるトリガーエレメント８２の供給力は、滑り摩擦を克服するために要求される供給力より小さいものであり得る。この目的のために、内壁５９は、例えば、図９において説明された通りに具体化され得る。トリガーの前に、その中に隣接面２４が隣接する内壁５９の領域は、この場合、例えば、低い表面粗さを有する。隣接面２４がこの領域を去るや否や、粗さ、従って滑り摩擦係数は上昇する。例えば、使用者はこのようにして、トリガー目的のために、均一な又は直線的に上昇する力をかけることを強いられ得る。カム（２２）の飛び出しの直前にかけられなければならない少なくとも供給力は、安全な注射のために要求される最小接触力に等しいか又はそれより大きい。
【００４８】
適切な場合、ピストン作動プランジャー６０、圧力棒２１及びトリガーエレメント８２の材料は同じであり得る。
【００４９】
図中において説明された変形において、圧力棒２１及びプランジャー板７３の間の唯一の接触区域は、滑るように互いに接触する表面２３及び７５として具体化される。一つの特別な構成において、注射器の作動の際に、ローラーが搭載された、すなわち、低い摩擦状態で、プランジャー板の表面７５から回転して離れるローラーは、個々の圧力棒２１の各表面２３中に搭載することができる。
【００５０】
ハウジング１０上のトリガーエレメント８２の直線的な滑り運動の代わりにらせん状の動きも供され得る。この場合、トリガーエレメント８２及びハウジング１０は、例えば、結合リンク又はリンクブロックを介して、一方が他方の上に誘導される。
【００５１】
明らかに、種々の前述の実施態様を互いに組合せることも考えられ得る。
【符号の説明】
【００５２】
１  注射溶液；医薬品
５  注射器の中心線、縦方向
６  （８２）のトリガー動き方向、下方動き方向の矢印
１０  ハウジング、一体物
１３  外面、円筒状、
１９ スペーサースリーブ
２１  圧力棒、支持棒；引っ張りフック
２２  カム
２３  支持面
２４  隣接面
２５  後方グリップ側面
２８  屈曲棒
３１  外皮領域
３３  開口部
３９  床
４１  円筒／ピストンユニットのための固定領域
５０  ばねエレメント、らせん圧縮ばね、ばねエネルギー貯蔵器
５９  （８２）の内壁
６０  ピストン作動プランジャー
６２  誘導ピン
６３  穴、貫通穴
７３  プランジャー板
７５  カラー面、円錐状
７６  ピストンスライド
７７  ピストン端面、円錐形の外皮
８０  トリガーユニット
８１  トリガーキャップ
８２  トリガーエレメント、
８３  広げられた領域
８４  セットバック側面
８５  端部、鋭い端をした
９０  開封明示クロージャー、バンデロール、固定エレメント
９４  切り取りバンデロール
１００  円筒／ピストンユニット
１０１  円筒
１１１  ピストン
１２０  クロージャーキャップ、接着シール
１２７  アダプター開口部
１２８  ストッパー
【図１】
0005520303.tif 000002
【図２】
0005520303.tif 000003
【図３】
0005520303.tif 000004
【図４】
0005520303.tif 000005
【図５】
0005520303.tif 000006
【図６】
0005520303.tif 000007
【図７】
0005520303.tif 000008
【図８】
0005520303.tif 000009
【図９】
0005520303.tif 000010